(57)【要約】【課題】この吸引ポンプシステムは、患者の体液をそれぞれ異なる部位から同時に吸引することができる。操作が簡単であり、ドレナージの選択に際してユーザーが柔軟に対応でき、選ばれしドレナージアプリケーションに対してよい成果をもたらすことができる。【解決手段】患者から体液を吸引するための吸引ポンプシステムは、ハウジング（１）と、少なくとも一つのポンプユニット（４０，４１，４２）と、バキュームラインを介してポンプユニットと接続される、少なくとも一つの体液回収容器（２０，２１，２２）と、を備えている。少なくとも一つのポンプユニットは、ハウジング（１）の中に配置され、ハウジング（１）は、前記体液回収容器（２０，２１，２２）を取り外し可能に支持するとともに同時に支持する二つ以上の固定部を備えている。【選択図】図１
2013532532.tif 000002
【特許請求の範囲】
【請求項１】
患者から体液を吸引するための吸引ポンプシステムであって、吸引ポンプシステムは、ハウジング（１）と、少なくとも一つのポンプユニット（４０，４１，４２）と、少なくとも一つの体液回収容器（２０，２１，２２）と、を備え、
前記少なくとも一つのポンプユニット（４０，４１，４２）は、前記ハウジング（１）の中に配置され、
前記ハウジング（１）は、前記体液回収容器（２０，２１，２２）を取り外し可能に支持するための固定部を備え、
前記ハウジング（１）が少なくとも二つの固定部を備え、各固定部がそれぞれ一の体液回収容器（２０，２１，２２）を同時に支持する
ことを特徴とする吸引ポンプシステム。
【請求項２】
前記体液回収容器（２０，２１，２２）と患者とを接続する複数のドレナージライン（３０，３１、３２）を有し、
各ドレナージライン（３０，３１、３２）は、それぞれ対応する固有の前記体液回収容器（２０，２１，２２）と接続されている請求項１記載の吸引ポンプシステム。
【請求項３】
前記各固定部は、それぞれ同一形状で形成されている請求項１又は２記載の吸引ポンプシステム。
【請求項４】
前記各固定部は、互いの隣りに配置されている請求項１〜３のいずれか一項に記載の吸引ポンプシステム。
【請求項５】
少なくとも二つのポンプユニット（４０，４１，４２）が前記ハウジング（１）の中に配置されている請求項１〜４のいずれか一項に記載の吸引ポンプシステム。
【請求項６】
各体液回収容器（２０，２１，２２）には、それぞれ対応する固有のポンプユニット（４０，４１，４２）が割り当てられている請求項１〜５のいずれか一項に記載の吸引ポンプシステム。
【請求項７】
いくつかの体液回収容器（２０，２１，２２）には、同じポンプユニット（４０，４１，４２）が割り当てられている請求項１〜５のいずれか一項に記載の吸引ポンプシステム。
【請求項８】
すべての体液回収容器（２０，２１，２２）には、同じポンプユニット（４０，４１，４２）が割り当てられている請求項７記載の吸引ポンプシステム。
【請求項９】
少なくとも一つの電子制御ユニット（６０，６１，６２）がハウジング（１）の中に配置されている請求項１〜８のいずれか一項に記載の吸引ポンプシステム。
【請求項１０】
いくつかのポンプユニット（４０，４１，４２）を有し、これらは同じ電子制御ユニット（６０，６１，６２）により制御される請求項９記載の吸引ポンプシステム。
【請求項１１】
すべてのポンプユニット（４０，４１，４２）は、同じ電子制御ユニット（６０，６１，６２）により制御される請求項１０記載の吸引ポンプシステム。
【請求項１２】
各ポンプユニット（４０，４１，４２）は、それぞれ対応する固有の電子制御ユニット（６０，６１，６２）により制御される請求項９記載の吸引ポンプシステム。
【請求項１３】
いくつかの入力及び表示ユニット（１１０−１１５）を有し、これらにはそれぞれ対応する固有の体液回収容器（２０，２１，２２）及び／又は電子制御ユニット（６０，６１，６２）が割り当てられている請求項１〜１２のいずれか一項に記載の吸引ポンプシステム。
【請求項１４】
ポンプユニット（４０，４１，４２）と、体液回収容器（２０，２１，２２）と、電子制御ユニット（６０，６１，６２）と、入力及び表示ユニット（１１０−１１５）は、モジュールとして形成され、このようなモジュールを少なくとも二つ有する請求項１〜１３のいずれか一項に記載の吸引ポンプシステム。
【請求項１５】
持ち運び可能に形成された請求項１〜１４のいずれか一項に記載の吸引ポンプシステム。
【発明の詳細な説明】
【技術分野】
【０００１】
本発明は、請求項１前段部に対応した、吸引ポンプシステムに関する。
【背景技術】
【０００２】
固定式の吸引システムは、通常、医療分野において、患者の体腔や創傷部から体液を吸引するために用いられている。このような吸引ポンプシステムは、基本的に、吸引源として特に、真空ポンプと、体液や分泌物の回収容器と、これらの間に配置されるサージタンクと、複数の接続ラインを備え、接続ラインには、特に、患者から体液回収容器へと導かれるドレナージ又は分泌物ラインと、回収容器からサージタンクへと導かれる接続ラインと、サージタンクと吸引源とをつなぐバキュームラインとがある。
【０００３】
治療過程における目的としては、患者のためには、補助なしで運搬可能であり、できる限り素早くベッドから取り外すことができることが重要である。このような理由から、創傷部ドレナージとして用いられる大半の吸引ポンプシステムは、持ち運び可能に形成されている。この種の持ち運び可能な吸引ポンプシステムとしては、ＷＯ２００７／１２８１５６に開示されている。これは、ポンプユニットを備えるハウジングと、体液回収容器を有している。この回収容器は、ハウジングの二つ突き出した側壁からなるガイド部に嵌合されるとともに旋回可能に支持され、ハウジングに対して脱抜可能に接続されている。ドレナージホースは、その患者側の終端部がアダプターとして形成され、これをハウジングに差し込むことによって、回収容器に接続されるようになっている。
【０００４】
このタイプの装置は現実的に有用であることが証明されている。この分野の専門家は、特に、できるだけ小さく、コンパクトで静かであり、多くのアプリケーションに適用できる、また、操作が簡単であるポンプの製作に取り組んでいる。
【０００５】
しかしながら、異なった部位から体液を吸引する患者に対しては、現実的な解決策を提供するものではなかった。分岐したホースを単一のポンプを用いて吸引すると、Ｙ字状に形成された接続部の領域において詰まり状態となるというリスクが増大することになる。部位別に個々の装置を用いるとなると、取り扱いの労力が増大することになり、看護職員は、多くの装置を操作し、監視しなければならない。
【先行技術文献】
【特許文献】
【０００６】
【特許文献１】ＷＯ２００７／１２８１５６号公報
【発明の概要】
【発明が解決しようとする課題】
【０００７】
従って、本発明は、患者の体液を異なる部位から同時に吸引するのに適した吸引ポンプシステムを提供することを目的とする。
【課題を解決するための手段】
【０００８】
このような目的を達成するため、本発明の吸引ポンプシステムは、請求項１に記載するような特徴を備えている。
【０００９】
本発明に係る患者から体液を吸引するための吸引ポンプシステムは、ハウジングと、少なくとも一つのポンプユニットと、バキュームラインを介してポンプユニットと接続される、少なくとも一つの体液回収容器と、を備えている。少なくとも一つのポンプユニットは、ハウジングの中に配置され、ハウジングは、体液回収容器を取り外し可能に支持するとともに同時に支持する二つ以上の固定部を備えている。
【００１０】
一以上の体液回収容器がハウジングに接続されるとともに、それぞれの体液回収容器に対して１本のホースを用いることができる。これらのホースは、患者の異なった部位に配管することができ、異なる体腔から又は同じ体腔のそれぞれ別の場所から体液を吸引することができる。
【００１１】
複数の体液回収容器は、ハウジングの中又は外に通常の方法で固定することができる。これらは、特に、旋回して又は押し込むことにより装入でき、または、間接的な接続具を介して取り付けることもできる。
【００１２】
吸引される液体としては、ここでは、とりわけ、すべてのタイプの体液、分泌物、及び脂肪などであり、例えば、創傷部ドレナージ、胸部ドレナージ、及び脂肪吸引などの外科的手術の間に発生するような液体を意味する。
【００１３】
本発明の吸引ポンプシステムは、特に、心臓ドレナージと胸膜ドレナージに使用することができる。本発明の一システムを用いて、両タイプのドレナージを同時に実施することができる。
【００１４】
このシステムは、持ち運び可能であることが好ましい。
【００１５】
体液回収容器の数を増加させることによって、体液の受容量を増加することができる。部位又は体腔ごとにそれぞれ体液回収容器を割り当てることができるので、それぞれの体液の性状と量をより詳しく監視することができる。この場合、それぞれの吸引部位からの体液は混合されることはない。しかしながら、グループ内においていくつかの吸引部位を結合して、各吸引部位からの体液を同じ体液回収容器に導くことはできる。
【００１６】
しかしながら、各体液回収容器は、それぞれに対応する固有のドレナージホースを介して患者に接続されることが好ましい。すなわち、それぞれのドレナージホースは、体液回収容器と体腔の間において、数字的に一対一の関係があるように、固有の体液回収容器に接続されることが望ましい。これにより、それぞれの体液吸引部位に対して適用する体液回収容器を、回収する体液の種類、量に応じて決定することができるので、医療関係者にとって分析と監視がより容易となる。
【００１７】
従って、本発明の吸引ポンプシステムによれば、ホースを分岐させる必要もなく、Ｙ字状のコネクタ片をホースに設ける必要もない。これにより、Ｙ字状のコネクタ片において詰まり状態となるリスクが解消される。
【００１８】
好適な実施形態では、装置に配置され、複数の体液回収容器を受け入れ可能な複数の固定部は、それぞれ同一形状で形成されていることが好ましい。これにより、本システムでは、それぞれ同じサイズで同じ形状の体液回収容器を使用することができるからである。しかしながら、違いを有する体液回収容器を受け入れることもできる。違いとしては、例えば、形状、サイズ、フィルタの性状、体液凝固手段の性状、又は容器の内外に配置されるセンサの性状がある。
【００１９】
しかしながら、本システムでは、それぞれ独自の形の体液回収容器が受け入れ可能となるように、複数の固定部それぞれの形状を違えることもできる。
【００２０】
また、各固定部は、互いの隣りに，並列配置されていることが好ましい。
【００２１】
単純な実施形態としては、ハウジングには、単一の真空ポンプを備える一のポンプユニットを配置することができる。このポンプは、ハウジング内に配管されたバキュームラインを介して複数の体液回収容器に接続、又は、ハウジング外に配管されたバキュームラインを介して複数の体液回収容器に接続することもできる。このような単純な実施形態によれば、安価で、重量が比較的軽く、外形を比較的小さくできる。
【００２２】
他の実施形態として、少なくとも二つのポンプユニット又は真空ポンプを、ハウジングに配置することもできる。これらの真空ポンプはそれぞれ、内設または外設のバキュームラインを介して少なくとも一の体液回収容器に接続される。ここで、また、各ポンプがそれぞれ固有の体液回収容器に割り当てられる、一対一接続が好ましい。このようなシステムによれば、一のポンプが故障したときに、同じハウジング内の別のポンプに変更することができる。
【００２３】
また、一のポンプで複数の体液回収容器を同時に真空吸引することもできる。
【００２４】
また、ハウジングには、ＰＣＢ(プリント基板)と称させる少なくとも一の電子制御ユニットが配置される。この電子制御ユニットは、センサから入力される処理、使用に係る信号によってポンプユニットを制御する。単純な実施形態では、この電子制御ユニットにすべての真空ポンプを制御させることもできる。これによりコストを低減できる。その他の実施形態としては、各ポンプユニット、すなわち各真空ポンプを、それぞれに対応する固有の電子制御ユニットで制御することもできる。つまり、一対一での制御形態を有することになる。また、複数のポンプユニットをいくつかのグループに分け、それぞれのグループを対応する固有の電子制御ユニットで制御することもできる。異なる制御を同じ回路基板を用いて行うこともできるが、各制御はそれぞれ固有の回路基板によって行われることが好ましい。これは、例えば、心臓ドレナージと胸膜ドレナージそれぞれのアプリケーションのために各回路基板の制御をそれぞれ最適化できるからである。そのうえ、一方のポンプ又は電子制御ユニットが故障したときに、他方のポンプを機能させることもできる。
【００２５】
また、本システムは、少なくとも一の入力及び表示ユニットを備えている。複数のユニットを備えることもでき、この場合、これらのユニットを一の体液回収容器及び／又は一のポンプユニットにそれぞれ割り当てることが好ましい。また、これらをグループごとに割り当てることもできる。
【００２６】
また、ハウジングには、電子制御ユニットとポンプ用のモーターに電力を供給するための少なくとも一のバッテリーを備えることが好ましい。一のバッテリーからすべてのポンプに電力を供給することも、または、各ポンプそれぞれに対応する固有のバッテリーを備えることもできる。そのうえ、また、複数のポンプからなる一のグループに一のバッテリーを、他のグループに別のバッテリーを接続することもできる。また、商用電源との接続も可能である。
【００２７】
上記の個々の構成要素はそれぞれ、好ましくは、共通するハウジングの中で、一のシステムとして機能するようにモジュール化されている。これらのモジュールはそれぞれ、例えば、一のポンプユニット、一の体液回収容器、一の電子制御ユニット、一の入力及び表示ユニット、及び選択的に一のバッテリーを備えている。少なくとも入力及び表示ユニットとこれに関連付けられた体液回収容器とは、ユーザーがこれらの関連性を明確に識別できるように配置されていることが好ましい。
【００２８】
各モジュールはすべて、ハウジングを均等に分割した、同じ幅を有することが好ましい。これにより、個々のモジュールが簡単に交換できるからである。例えば、二の心臓アプリケーションと一の胸膜アプリケーションとを備えるシステムと、一の心臓アプリケーションと二の胸膜アプリケーションとを備えるシステムを、それぞれ組み立てるときに、同じ部品を使用することができる。
【００２９】
本システムの優れた特徴は、一つの装置でありながら多くの可能性をユーザーに提供できるとともに、操作しやすいということである。医師又は看護職員は、どのドレナージ容器（体液回収容器）をいくつ使用するのかを任意に決定することができる。また、彼らは、ドレナージ容器（体液回収容器）のサイズを選択することができる。また、医師か看護スタッフは、いくつのポンプを使用するべきか、どの種類のポンプか、どのように制御するのかを適宜選択して決定することができる。また、彼らは、同じ一の装置を使用して、胸膜ドレナージ、心臓ドレナージ、及び他のタイプのドレナージを同時に行うことができる。
【００３０】
他の実施形態は、従属請求項に記述されている通りである。
【発明の効果】
【００３１】
本発明に係る吸引ポンプシステムによれば、患者の体液をそれぞれ異なる部位から同時に吸引することができる。操作が簡単であり、ドレナージの選択に際してユーザーが柔軟に対応でき、選ばれしドレナージアプリケーションに対してよい成果をもたらすことができる。
【図面の簡単な説明】
【００３２】
本発明の好適な実施形態を以下の図面を参照しながら説明するが、これらの図面は説明を目的とするものであり、本発明はこれらに限定して解釈されるものではない。
【図１】本発明の第一実施形態に係る吸引ポンプシステムの患者への使用状態を示す概略図である。
【図２】本発明の第二実施形態に係る吸引ポンプシステムを一方向から見た概略斜視図である。
【図３】図２に示す吸引ポンプシステムを他の方向から見た概略斜視図である。
【図４】図２に示す吸引ポンプシステムの概略図である。
【図５】本発明の第三実施形態に係る吸引ポンプシステムの概略図である。
【図６】本発明の第四実施形態に係る吸引ポンプシステムの概略図である。
【発明を実施するための形態】
【００３３】
本発明に係る第一実施形態の吸引ポンプシステムを図１に示す。これは持ち運び可能に形成されている。ハウジング１は、装置自体を持ち運ぶための持ち運び用把手１０を備えている。少なくとも一のポンプユニット、すなわち、真空ポンプがハウジング１に配置される。また、ハウジング１には、体液回収容器２０，２１，２２が固定されている。これらは、図３に示すように、係止部１２０，１２１，１２２によってそれぞれの位置に支持されている。ハウジング１は、体液回収容器２０，２１，２２を押し込み又はピボットさせることにより、それぞれの使用位置に装入可能な固定部を備えている。体液回収容器２０，２１，２２は、お互いの隣りに並列配置され、すべての固定部とともに同じ形状を有している。
【００３４】
また、ドレナージホース３０，３１，３２と称される分泌物を吸引するための複数のホースも備えている。これらは患者に導かれる。これらはシングルルーメン（管腔）又はマルチルーメンホースとすることができる。各ホースは、ドレナージラインを備えている。また、例えば、ラインの洗浄に使用される、より小さい口径を有するサービスラインを備えることが好ましい。
【００３５】
図３に示すように、ドレナージホース３０，３１，３２のポンプサイド端は、ハウジングに差し込まれるカップリング部品３１０，３１１，３１２に接続され、これによりそれぞれに隣接している体液回収容器２０，２１，２２とのドレナージ接続が確立する。
【００３６】
使用の間、体液回収容器２０，２１，２２内はそれぞれ、真空ポンプとハウジング内に配設されるバキュームラインにより、真空又は減圧状態となる。このような体液回収容器２０，２１，２２に接続されるドレナージホース３０，３１，３２によって、患者の体腔内は減圧状態となる。体液は、ドレナージホース３０，３１，３２を通して体液回収容器２０，２１，２２に導かれて回収される。
【００３７】
また、ドレナージホース３０，３１，３２を、ハウジング１に代わって、体液回収容器２０，２１，２２に直接差し込むこともできる。そのうえ、破壊しなければ接続状態を解除することができないように、ドレナージホース３０，３１，３２を体液回収容器２０，２１，２２に接続することもできる。体液回収容器２０，２１，２２とドレナージホース３０，３１，３２は、使用後は適当な方法により処分されることから、このような構成は、これらを使い捨ての消耗品とすることができるので有利に作用する。これとは対照的に、ハウジング１に備える少なくとも一の真空ポンプは、繰り返して使用されることになる。
【００３８】
ドレナージホース３０，３１，３２、特にドレナージラインは、体液回収容器２０，２１，２２と患者との一対一接続を確立できるように、分岐して形成されないことが好ましい。これにより、各ホースをそれぞれ患者の身体の異なる部位に導くことができる。
【００３９】
図１に示す例では、すべての体液回収容器２０，２１，２２が同じ形状に形成され、特に、同じサイズ、同じ容量で形成されている。一方、図２，３に示す例では、体液回収容器２２は、他の二つの体液回収容器２０，２１よりも外形が小さく、受容量も少なく形成されている。また、他のサイズ比の体液回収容器を適宜選択すること、体液回収容器を他の受容量又は形状に形成することもできる。ハウジング１内の各固定部は、同じ固定部にサイズの異なる体液回収容器を受け入れ可能に形成されることが好ましい。
【００４０】
図２，３に示すように、ハウジング１のコンソール部１１には、少なくとも一の入力及び表示ユニットが設けられている。この例では、コンソール部１１は斜めに形成されている。表示ユニットには、表示面１１０，１１１，１１２を設けることが好ましい。入力領域１１３，１１４，１１５には、同図に示すような入力キーや、回転式のノブ、他の適当な入力手段を設けることができる。
【００４１】
図１〜３に示された実施形態は、モジュールとして形成されている。表示面１１２、入力領域１１５及び体液回収容器２２は、一つのモジュールとして区分可能に配置されている。また、これは、他の表示面、入力領域、及び体液回収容器についても同様なことがいえる。各モジュール個々の外観的構成要素、すなわち、ハウジング１の固定部に関連付けられた上記の構成要素は、お互いの隣りに並列配置されていることが好ましい。これにより、よりよい外観が得られ、構成要素の識別が容易となる。
【００４２】
これにより、図２，３に示すように、同じ装置を使用しながらも同時に異なったドレナージアプリケーションを行うことができる。この例では、表示１１２には、胸膜ドレナージの実行が表示され、表示１１０，１１１には、異なる二つの心臓ドレナージの実行が表示されている。
【００４３】
図４にハウジング１の内部を図式的に示す。この実施形態では、三つのポンプユニット、又は真空ポンプ４０，４１，４２が設けられ、これらは、それぞれに対して個別に割り当てられた電子制御ユニット６０，６１，６２により制御される。また、入力及び表示ユニット１１３，１１４，１１５と体液回収容器２０，２１，２２の間においても同様な一対一の関係を有している。
【００４４】
また、バッテリー５０，５１，５２、及び／又は、外部のメイン電源と接続され電力の供給を受ける電源は、この例では、それぞれのモジュールに対して一対一の関係をもって割り当てられている。
【００４５】
図５に示す実施形態では、すべての体液回収容器２０，２１，２２に対して、一の真空ポンプ４０、一のバッテリー５０又は一のパワー・パック、一の入力及び表示ユニット１１３が割り当てられている。ところが、他の実施形態と同様、三つの電子制御ユニット６０、６１、６２を備えている。これにより、図２，３に示す例と同様に、同時に異なるドレナージアプリケーションを行うことができ、同じ真空ポンプによるものの、これらのドレナージアプリケーションの実行状態を同じ表示ユニットにそれぞれ表示させることができる。
【００４６】
また、図６に示す実施形態では、一の電子制御ユニット６０、好ましくは一枚のＰＣＢ(プリント基板)を備えている。
【００４７】
また、システムの個々の構成要素の組合せを変更することもできる。説明した実施形態では、同じハウジングに三つの体液回収容器を支持した。この体液回収容器の数は、これに限定されず、二又は四以上の容器を設けることもできる。また、個々の構成要素の数量は必要に応じて選択的に変更可能であり、構成要素の数同士が必ずしも一致しなくてもよい。例えば、三つの容器と二つのポンプを組み合わせて使用することもできる。
【００４８】
本発明に係る吸引ポンプシステムによれば、患者の体液をそれぞれ異なる部位から同時に吸引することができる。操作が簡単であり、ドレナージの選択に際してユーザーが柔軟に対応でき、選ばれしドレナージアプリケーションに対してよい成果をもたらすことができる。
【産業上の利用可能性】
【００４９】
本発明は、患者の体液を吸引する吸引ポンプシステムに広く利用することができる。
【符号の説明】
【００５０】
１  ハウジング
１０  持ち運び用把手
１１  コンソール部
１１０  第一表示面
１１１  第二表示面
１１２  第二表示面
１１３  第一入力領域
１１４  第二入力領域
１１５  第三入力領域
１２０  第一係止部
１２１  第二係止部
１２２  第三係止部
２０，２１，２２  体液回収容器
３０，３１，３２  ドレナージホース
３１０  第一カップリング部品
３１１  第一カップリング部品
３１２  第一カップリング部品          
４０，４１，４２  ポンプユニット
５０，５１，５２  バッテリー
６０，６１，６２  電子制御ユニット
【図１】
2013532532.tif 000003
【図２】
2013532532.tif 000004
【図３】
2013532532.tif 000005
【図４】
2013532532.tif 000006
【図５】
2013532532.tif 000007
【図６】
2013532532.tif 000008
【国際調査報告】
2013532532.tif 000009
2013532532.tif 000010
2013532532.tif 000011
2013532532.tif 000012
2013532532.tif 000013
2013532532.tif 000014